(57)【要約】【課題】本発明の課題は、取り扱いしにくい平面板を容易にピックアップし、又は、袋体の構成面である平面板を容易にピックアップし、又は平面板間の開口を容易に拡げる平面板把持具及びこれを用いた袋開口具を提供することである。【解決手段】本発明に係る平面板把持具及びこれを用いたピックアップ又は袋開口具において、平面板把持具は、平面板を付着する付着具とこれに接続した指又は手で持つためのハンドリング具を有し、ピックアップ又は、袋開口具は、付着具とハンドリング具の対の二組が、両ハンドリング具で接続又は一体化し、両ハンドリング具は、指又は手で握ると両付着具が近づき、指又は手の握りを緩めると弾性復元力を持って、或いは、握りの反対動作により、両付着具が離れるものである。【選択図】図１
2014104983.tif 000002
【特許請求の範囲】
【請求項１】
平面板を付着する手段を備えた付着具とこれに接続し、指又は手で持つ又はこれに嵌めるためのハンドリング具を有することで、平面板のピックアップを容易としたことを特徴とする平面板把持具。
【請求項２】
前記付着具と前記ハンドリング具の対の二組が、両ハンドリング具で接続又は一体結合していることで、両ハンドリング具、従って、両付着具間の開き、閉じにより
平面板のピックアップ、又は、平面板を備えた袋体の開口を拡げることを可能としたことを特徴とする請求項１記載の平面板把持具を用いたピックアップ具又は袋開口具。
【請求項３】
前記両ハンドリング具での接続又は一体結合の手段は、Ｕ字状に接続又は一体結合された形態か、又は、両ハンドリング部が鋏であり、前記鋏の刃の先端に前記付着具が付設された形態であることを特徴とする請求項２記載のピックアップ具又は袋開口具。
【請求項４】
前記付着具は、粘着体を備えた平板、吸盤、板面に飛び出た返し針を備えた針を有する平板、かみ合いの表面に摩擦性のぎざぎざ構造体又は粘着体を有する雄雌の凹凸構造体の内、いずれか１つであることを特徴とする請求項２又は請求項３のいずれかに記載のピックアップ具又は袋開口具。
【請求項５】
前記ハンドリング具に袋開口保持具を備え、前記袋開口保持具は、前記ハンドリング具に噛み合って前記ハンドリング具上をスライドするスライド片と、前記スライド片に付いていて前記付着具の側に伸び、袋地の平面板の内側に入りこれを支持するための支持片との対を２組備え、各々のスライド片に接続し、他方のハンドリング具に近づく方向に互いに伸び、双方の連結部の伸びにより長さが変わる連結具とを有したことを特徴とする請求項２から請求項４のいずれか１つに記載のピックアップ具又は袋開口具。
【発明の詳細な説明】
【技術分野】
【０００１】
本発明は、平面板を指先で摘み場合にピックアップを容易にする平面板把持具とこれを用いた食品パックなどの袋の開口を拡大する袋開口具に関するものである。
【背景技術】
【０００２】
物を持ち上げ次の処理工程まで把持する場合に、真空装置のついた真空ノズルで把持する例がある。特許文献１では、パウチの開口方法において、吸盤によってパウチの開口部の直下を吸い上げ、開口する例が示されているが、人手により薄い物をピックアップする場合に簡易なピックアップ具は従来例においては見られない。平面板を指先で摘むピックアップ動作は、特に厚さの薄い場合は容易ではない。指で平面板に皺を作って持ち上った部分を把持するようにしている。平面板が皺が出来ない強固さを有すると極めて把持しにくい。又、食品パックのような袋体は、鋏等で切って開封しても、袋体の二つの平面シートが切り口でぴったり合わさっていて、このようなものの口を指で開くのは極めてやりにくく、余分な労力を使ってしまう。特に加熱され熱くなった袋体の開口は、火傷する危険もある。
【先行技術文献】
【特許文献】
【０００３】
【特許文献１】特開平１０−１２９６２２
【発明の概要】
【発明が解決しようとする課題】
【０００４】
従来、このような取り扱いしにくい平面板を容易にピックアップし、又は、袋体の構成面である平面板を容易にピックアップし、又は平面板間の開口を容易に拡げる平面板把持具及びこれを用いた袋開口具を提供することである。
【課題を解決するための手段】
【０００５】
本発明の平面板把持具及びこれを用いたピックアップ具又は袋開口具において、平面板把持具は、平面板を付着する付着具とこれに接続した指又は手で持つためのハンドリング具を有し、ピックアップ具又は、袋開口具は、付着具とハンドリング具の対の二組が、両ハンドリング具で接続又は一体化し、両ハンドリング具は、指又は手で握ると両付着具が近づき、指又は手の握りを緩めると弾性復元力を持って、或いは、握りの反対動作により、両付着具が離れるものであることで、平面板面をピックアップ又は袋体の平面板に付着したまま引き離し、袋体の平面板間の開口を拡大するものである。
以下、請求項に沿って記述する。
【０００６】
請求項１記載の発明は、平面板把持具であって、
平面板を付着する手段を備えた付着具とこれに接続し、指又は手で持つ又はこれに嵌めるためのハンドリング具を有することで、平面板のピックアップを容易としたことを特徴とする。
【０００７】
請求項２記載の発明は、請求項１記載の平面板把持具を用いたピックアップ具又は袋開口具において、
前記付着具と前記ハンドリング具の対の二組が、両ハンドリング具で接続又は一体結合していることで、両ハンドリング具、従って、両付着具間の開き、閉じにより
平面板のピックアップ、又は、平面板を備えた袋体の開口を拡げることを可能としたことを特徴とする。
【０００８】
請求項３記載の発明は、請求項２記載のピックアップ具又は袋開口具において、
前記両ハンドリング具での接続又は一体結合の手段は、Ｕ字状に接続又は一体結合された形態か、又は、両ハンドリング部が鋏であり、前記鋏の刃の先端に前記付着具が付設された形態であることを特徴とする。
【０００９】
請求項４記載の発明は、請求項２又は請求項３のいずれかに記載のピックアップ具又は袋開口具において、
前記付着具は、粘着体を備えた平板、吸盤、板面に飛び出た返し針を備えた針を有する平板、かみ合いの表面に摩擦性のぎざぎざ構造体又は粘着体を有する雄雌の凹凸構造体の内、いずれか１つであることを特徴とする。
【００１０】
請求項５記載の発明は、請求項２から請求項４のいずれか１つに記載のピックアップ具又は袋開口具において、
前記ハンドリング具に袋開口保持具を備え、前記袋開口保持具は、前記ハンドリング具に噛み合って前記ハンドリング具上をスライドするスライド片と、前記スライド片に付いていて前記付着具の側に伸び、袋地の平面板の内側に入りこれを支持するための支持片との対を２組備え、各々のスライド片に接続し、他方のハンドリング具に近づく方向に互いに伸び、双方の連結部の伸びにより長さが変わる連結具とを有したことを特徴とする。
【発明の効果】
【００１１】
以上の様に構成されているので、本発明による平面板把持具及びこれを用いた袋開口具は、指や手で摘みにくい平面板を容易に把持することが出来、食品パックなど多くの袋体を把持可能とすると共に、このような袋体の開口部を容易に拡げることが可能となり、労力と同時に熱い袋体では火傷の恐れも排除できる。
【図面の簡単な説明】
【００１２】
【図１】本発明に係る平面板把持具の一実施態様を示す図である。
【図２】本発明に係る平面板把持具を用いたピックアップ具又は袋開口具の一実施態様を示す図である。
【図３】本発明に係る平面板把持具を用いたピックアップ具又は袋開口具を食品パックの取り扱いにおいて使用した一実施態様を示す図である。
【図４】本発明に係る平面板把持具を用いたピックアップ具又は袋開口具の別の実施態様と使用例を示す図である。
【図５】本発明に係る平面板把持具を用いたピックアップ具又は袋開口具で鋏に付設した一実施態様を示す図である。
【発明を実施するための形態】
【００１３】
本発明の平面板把持具及びこれを用いたピックアップ具又は袋開口具において、
平面板把持具は、平面板を付着する付着具とこれに接続した指又は手で持つためのハンドリング具を有し、ピックアップ具又は、袋開口具は、付着具とハンドリング具の対の二組が、両ハンドリング具で接続又は一体化し、両ハンドリング具は、指又は手で握ると両付着具が近づき、指又は手の握りを緩めると弾性復元力を持って、或いは、握りの反対動作により、両付着具が離れるものであることで、平面板面をピックアップ具又は袋体の平面板に付着したまま引き離し、袋体の平面板間の開口を拡大するものである。
以下図に沿って説明する。
【００１４】
図１は、本発明に係る平面板把持具の一実施態様を示す図である。
１−Ａにおいて、平面板を付着する面を有する付着具１０１には、指又は手で把持するためのハンドリング具１０２が付いている。この例では、付着具１０１は円形で、ハンドリング具１０２は棒状体のものが示されている。１−Ｂでは、平面板を付着する面を有する付着具１０１にやはり指又は手で把持するためのハンドリング具１０２が付いている。この例では、付着具１０１は、矩形で、ハンドリング具１０２は、取っ手状体が付いている。
付着具１０１とハンドリング具１０２の形状は、このように色々な形状を取ることが出来る。付着具１０１としては、吸盤体、粘着体、平板をひっかける返し針など平面板を捉える色々の手段をとることが出来る。粘着体では、電気マッサージ用の粘着パッドは、洗うことで粘着力が回復し何度も使えるものは、使用して好都合である。又、平面板の重量、袋を開口する場合の袋体の平面板の硬さに対応して、粘着力の強さを適当なものに選ぶことが可能である。ガムテープのような強固なものからポストイットのような弱いものまで粘着力は多くの段階があるので適度なものを選択する。後で剥がしやすいことを考慮すると、ガムテープの粘着力は強すぎるのが実情である。
【００１５】
１−Ｃでは、平板の台１１０の上に平面板１１１が置いてある状況を示す。平面板１１１が薄手で皺が作りにくい強固なものほど、指や手で把持しにくい。１−Ｄでは、平面板把持具１００の付着具１０１を平面板１１１の平面に接触させ付着させた後、持ち上げている状態を示している。尚、１−Ｅには、ハンドリング具１０２が指輪になっている。１−Ｆでは、同様に指サックになっている。
【００１６】
図２は、本発明に係る平面板把持具を用いたピックアップ具又は袋開口具の一実施態様を示す図である。ピックアップ具又は袋開口具は、
図１で説明した付着具１０１とハンドリング具１０２の対の二つが、ハンドリング具１０２でＵ字状に接続又は一体になった構成を有していて、平面板１１１のピックアップ具又は袋体の平面板に付着したまま引き離し、袋体の平面板間の開口を拡大するものである。
２−Ａは、付着具１０１の中心軸１０３にハンドリング具１０２が繋がっている。２−Ｂでは、付着具１０１の中心軸１０３から適当な間隔だけ偏芯した回転軸１０４にハンドリング具１０２が繋がっていて、中心軸１０３又は回転軸１０４のいずれかの結合において３６０度のボール回転自由度をもつ結合にすることで、ハンドリング具１０２の斜めの力が、向きが変わって袋体の平面板に常に直角に作用するようになっている。２−Ｃでは、２−Ａのような形状だが、付着具１０１自体が、平板１０５とこの面から飛び出た返し針１０６を持った針１０７を有している。平面板１１１に付着具１０１を押し付けると、針１０７が平面板１１１に刺さり、平板１０５に平面板１１１が接触して止まり、ハンドリング具１０２が開く場合は、返し針１０６が平面板１１１に引っかかるため、平面板１１１は、付着具１０１に取り付いたまま動くことになる。２−Ｄでは、ハンドリング具１０２の先についた付着具１０１は、かみ合いの表面に摩擦性のぎざぎざ構造体又は粘着体を有する雄雌の凹凸構造を持っている。２−Ｅは付着具１０１の拡大図であり、２−Ｆは断面図である。２−Ｅにおいて、下側に雄の凸構造体１０８、上に雌の凹構造体１０９が示され、両者は嵌り、かみ合う表面が摩擦性のぎざぎざ構造体又は粘着体を有している。２枚が合わさった薄手の平面板１１１を挟んだ場合に２−Ｆのようにこれを噛むことで、開いたときに２枚の平面板１１１を引き離すことが出来る。
尚、ハンドリング具１０２は、指又は手で握ると両付着具が近づき、指又は手の握りを緩めると弾性復元力を持つのが都合がよい。
【００１７】
図３は、本発明に係る平面板把持具を用いたピックアップ具又は袋開口具を食品パックの取り扱いにおいて使用した一実施態様を示す図である。
３−Ａにおいて、食品パックである袋体３０１を湯煎容器３０２の中で湯煎し温めた後、本発明に係る平面板把持具を用いた図２で示したピックアップ具を用いて挟み取り出す。３−Ｂでは、取り出した状態で鋏３０３を用いて、袋体３０１の上部の切り離し部を切断する。３−Ｃでは、切り離しにより、ピックアップ具のハンドリング具１０２の復元弾性力により開き、袋の開口３０４が容易に拡大し、内容物を取り出すことができる。このような加熱袋を手で広げるのは火傷をする心配があり、このように手を触れることもなく処理できることは極めて便利である。
【００１８】
図４は、本発明に係る平面板把持具を用いたピックアップ具又は袋開口具の別の実施態様と使用例を示す図である。
図２に示したピックアップ具又は袋開口具のハンドリング具１０２に袋開口保持具４００を有するものである。袋開口保持具４００は、ハンドリング具１０２に噛み合ってハンドリング具１０２上をスライドするスライド片４０１とこれに付いていて付着具１０１の側に伸び、袋の平面板（シート）の内側に入りこれを支持するための支持片４０２の対を２組備え、スライド片４０１に接続し、他方のハンドリング具１０２に近づく方向に互いに伸び、双方の連結部の伸びにより長さが変わる（従って、ハンドリング具１０２の開きに対応できる）連結具４０３とを有している。
４−Ｂにおいては、これを袋体３０１の開口３０４を拡げて維持することに使用している。すなわち、ハンドリング具１０２の開きにより、付着具１０１と共に袋体３０１の平面板（袋のシート）が開いて、開口３０４が拡がった状態で、スライド片４０１を付着具１０１に近づけると、支持片４０２が袋体３０１の平面板の内側（開口側）に入って、開口の広がりを維持することが出来る。
【００１９】
図５は、本発明に係る平面板把持具を用いたピックアップ具又は袋開口具で鋏に付設した一実施態様を示す図である。図で示すように通常見かける鋏５０１の刃の両先端に、付着具１０１が付いている。これにより、鋏５０１で袋の開封部を切った後に、そのまま、先端部の付着具１０１で開封部の下の袋の面を挟んで鋏を開く、又は弾性復元をさせると、袋体の開口を拡げることが出来、他の道具に持ちかえる必要がなく一つの連続した動作で行えるので極めて好都合である。
【産業上の利用可能性】
【００２０】
以上のように本発明による平面板把持具及びこれを用いたピックアップ具又は袋開口具は、
は、取り扱いしにくい平面板を容易にピックアップし、又は、袋体の構成面である平面板を容易にピックアップし、又は平面板間の開口を容易に拡げることが可能なので、産業上利用して効果が極めて大きい。
【符号の説明】
【００２１】
１００  平面板把持具
１０１  付着具
１０２  ハンドリング具
１０３  中心軸
１０４  回転軸
１０５  平板
１０６  返し針
１０７  針
１０８  凸構造体
１０９  凹構造体
１１０  平板の台
１１１  平面板
３０１  袋体
３０２  湯煎容器
３０３、５０１  鋏
３０４  開口
４０１  スライド片
４０２  支持片
４０３  連結具
【図１】
2014104983.tif 000003
【図２】
2014104983.tif 000004
【図３】
2014104983.tif 000005
【図４】
2014104983.tif 000006
【図５】
2014104983.tif 000007